(57)【特許請求の範囲】
【請求項１】
外気を室内へ供給する給気流路と、室内空気を室外へ排出する排気流路とが隣接して平行配置された部位に設けられ、
前記給気流路及び排気流路の一方に、流路を形成するためのケーシング内部に除湿材を内蔵する水分吸脱部と蓄熱体を内蔵する蓄熱部とからなる第１空気調整部が設けられ、他方に流路を形成するためのケーシング内部に除湿材を内蔵する水分吸脱部と蓄熱体を内蔵する蓄熱部とからなる第２空気調整部が設けられ、前記水分吸脱部及び蓄熱部はそれぞれカセット方式により前記ケーシングに着脱自在とされるとともに、水分吸脱部と蓄熱部との順序を入れ替え可能とされ、
かつ前記第１空気調整部と第２空気調整部とが直接的または連結部材を介して一体的とされ、前記第１空気調整部及び第２空気調整部は、これらの中心部に流路方向に沿って設けられた回転軸によって回転自在に支持され、所定時間毎に、前記回転軸を１８０度づつ正方向又は逆方向に回転させることにより、前記第１空気調整部と第２空気調整部とが入れ替わる流路構成とされ、
外気が高温多湿の夏季運転時は、給気流路側は室外側から水分吸脱部、蓄熱部の順で配置され、排気流路側が室内側から蓄熱部、水分吸脱部の順で配置された状態で、給気流路に配設された除湿材の水分吸着および蓄熱体の蓄熱の作用が飽和状態となった時点で、前記第１空気調整部と第２空気調整部との入れ替えを行う運転が行われ、
外気が低温低湿の冬季運転時は、給気流路側は室外側から蓄熱部、水分吸脱部の順で配置され、排気流路側が室内側から水分吸脱部、蓄熱部の順で配置された状態で、給気流路に配設された除湿材の水分脱着および蓄熱体の蓄熱の作用が飽和状態となった時点で、前記第１空気調整部と第２空気調整部との入れ替えを行う運転が行われることを特徴とするデシカント換気装置。
【請求項２】
前記第１空気調整部のケーシング及び第２空気調整部のケーシングが夫々断面略半円形状のケーシングとされるとともに、これらケーシングが連設され全体形状が円筒状に構成され、前記給気流路および排気流路が夫々前記第１空気調整部のケーシング及び第２空気調整部のケーシングに整合した断面形状とされる請求項１記載のデシカント換気装置。
【請求項３】
前記給気流路と排気流路とにそれぞれ送風機が配設されるとともに、前記送風機は、前記第１空気調整部と第２空気調整部との入れ替え開始時に停止させ、前記第１空気調整部と第２空気調整部との入れ替え完了時に再稼働させるようにしてある請求項１〜２いずれかに記載のデシカント換気装置。
【発明の詳細な説明】
【技術分野】
【０００１】
本発明は、住居、オフィス、商業施設、体育館、イベント会場などの室内空間を快適な温度・湿度状態に維持しながら、室内空気の換気を可能とするデシカント換気装置に関する。
【背景技術】
【０００２】
近年、地球温暖化の傾向が顕著となり、その対策として主たる温室効果ガスである二酸化炭素の排出量を削減すべく化石燃料の高効率使用（省エネルギー活動）が進められている。
【０００３】
特に民生分野（家庭、業務）の空調設備は現在も導入件数が増加しつつあり、エネルギー使用量（特に電力使用量）は拡大しつつあるため、その使用量削減に向けた空調機器・システムの効率改善は喫緊の課題である。
【０００４】
一方、民生分野での省エネルギー対策の一環として実施されている住宅やオフィスビルの高気密化は家具や建材から発生する有害化学物質などに起因するシックハウス症候群などの弊害をもたらしている。この対策として導入されたのが住宅などでの換気（基準）強化である。しかしながら、換気強化は外気による室内空調負荷、とりわけ除湿や加湿などの潜熱負荷増大を招くことから効果的な換気システムが不可欠となる。
【０００５】
ところで、外気が高温多湿な季節においては、換気に際し空調機は除湿のために処理対象の空気を露点以下まで冷却し、空気中の水分（水蒸気）を水に凝縮変換した後に除去する運転を行っている。
【０００６】
従って空調機での除湿が不要となれば、空調機は単に目的温度まで空気温度を低下させるだけで良く、凝縮潜熱を除去する負荷をはじめ、低温度領域まで空気を冷却する負荷からも開放される。
【０００７】
同様に、外気が低温低湿な冬季や乾燥季においては、換気に際し加湿が不可欠となる。加湿には超音波加湿装置などが用いられるが電力消費を伴うという問題がある。これに対し、室内から外気へ排出される空気に含まれる水分を分離回収し、これを外気からの導入空気に添加できれば加湿負荷が低減され、やはり省エネルギー性が確保される。
【０００８】
この様に、われわれの住環境における湿度調整には多大な電力などのエネルギーが使われており、換気に伴う省エネルギー効果のある除湿、加湿の手段が地球温暖化対策に有効であることに気付く。
【０００９】
近年、空気の調湿を冷却除湿や超音波加湿などに頼らないデシカント調湿技術が提案されている。例えば下記特許文献１では、除湿を主目的としたロータリー型の除湿装置として、ハニカム状に形成されたシートに湿気吸着材を担持させ、ハニカム状の除湿ロータの一方端から他方端に向かってシート単位面積当たりの湿気吸着材の担持量が増加するようにし、また除湿ロータの他方端に近接してヒータを設け、除湿ロータの他方端にヒータの輻射熱が加わるようにした除湿装置が記載されている。
【００１０】
また、下記特許文献２では、２つのデシカントを処理空気と再生空気に交互に切り換えて流通可能に配置し、一方で処理空気中の水分を吸着し、他方で再生空気によって再生するようにした空調システムにおいて、再生空気経路にヒートポンプの高温熱源を配して再生空気を加熱し、処理空気経路にヒートポンプの低温熱源を配して処理空気を冷却するとともに、デシカント通過後の処理空気とデシカント通過前の再生空気との間で顕熱交換を行う熱交換器を設けた空調システムが記載されている。
【００１１】
さらに下記特許文献３では、少なくとも２つのデシカントをそれぞれ処理空気経路と再生空気経路に配置し、一方で処理空気中の水分を吸着し、他方で再生空気によって再生するようにした空調システムにおいて、前記２つのデシカントを前記処理空気経路及び再生空気経路に対して相対移動させて前記デシカント部への処理空気と再生空気の流通を切り換え可能にした空調システムが記載されている。
【特許文献１】特開２００５−１３９０３号公報
【特許文献２】特開平９−３１８１２７号公報
【特許文献３】特開平１０−９６３３号公報
【発明の開示】
【発明が解決しようとする課題】
【００１２】
しかしながら、上記特許文献１記載の除湿装置では、除湿材はロータ形状であり、その形成には除湿材をハニカム積層体とした円筒型に成型する必要があるほか、除湿材の乾燥（再生）に通過空気を加熱して高温とし相対湿度を低下させる必要があるなど、設備コストやランニング時の消費エネルギーが多大となる問題があった。
【００１３】
また、上記特許文献２及び特許文献３記載の空調システムでは、除湿材を成形する必要がなく安価であるものの、切替弁や送風機などから構成される流路が複雑となり、設備が大型化する問題があった。
【００１４】
なお、流路を切り替える方法としては他に、切替弁の切り替えによるのではなく送風機の回転方向を制御して切り替える手法もあるが、室内の給気口と排気口が切り替わるために換気効率が低下する問題があった。
【００１５】
したがって、住宅や建築物の換気強化に伴う空調システムの負荷増大の一因となる除湿や加湿の潜熱負荷を低減し、民生分野でのエネルギー効率の改善が望まれるとともに、快適な室内環境を提供するデシカント換気システムの課題となる給気モードと排気モードの切り替え手順を簡潔化して装置コストを低減し、運転制御の容易化が望まれていた。  
そこで本発明の主たる課題は、上述のような観点から導入されつつあるデシカント換気装置をコンパクト化ならびに簡易化するとともに、その運転に際して除湿材の吸湿モードと再生モードの切り替え構造を単純化することにより、設備コストやランニングコストを低減し、さらにモード切り替えに伴う換気効率および空調効率の低下を抑制することにある。
【課題を解決するための手段】
【００１６】
前記課題を解決するために請求項１に係る本発明として、外気を室内へ供給する給気流路と、室内空気を室外へ排出する排気流路とが隣接して平行配置された部位に設けられ、
前記給気流路及び排気流路の一方に、流路を形成するためのケーシング内部に除湿材を内蔵する水分吸脱部と蓄熱体を内蔵する蓄熱部とからなる第１空気調整部が設けられ、他方に流路を形成するためのケーシング内部に除湿材を内蔵する水分吸脱部と蓄熱体を内蔵する蓄熱部とからなる第２空気調整部が設けられ、前記水分吸脱部及び蓄熱部はそれぞれカセット方式により前記ケーシングに着脱自在とされるとともに、水分吸脱部と蓄熱部との順序を入れ替え可能とされ、
かつ前記第１空気調整部と第２空気調整部とが直接的または連結部材を介して一体的とされ、前記第１空気調整部及び第２空気調整部は、これらの中心部に流路方向に沿って設けられた回転軸によって回転自在に支持され、所定時間毎に、前記回転軸を１８０度づつ正方向又は逆方向に回転させることにより、前記第１空気調整部と第２空気調整部とが入れ替わる流路構成とされ、
外気が高温多湿の夏季運転時は、給気流路側は室外側から水分吸脱部、蓄熱部の順で配置され、排気流路側が室内側から蓄熱部、水分吸脱部の順で配置された状態で、給気流路に配設された除湿材の水分吸着および蓄熱体の蓄熱の作用が飽和状態となった時点で、前記第１空気調整部と第２空気調整部との入れ替えを行う運転が行われ、
外気が低温低湿の冬季運転時は、給気流路側は室外側から蓄熱部、水分吸脱部の順で配置され、排気流路側が室内側から水分吸脱部、蓄熱部の順で配置された状態で、給気流路に配設された除湿材の水分脱着および蓄熱体の蓄熱の作用が飽和状態となった時点で、前記第１空気調整部と第２空気調整部との入れ替えを行う運転が行われることを特徴とするデシカント換気装置が提供される。
【００１７】
上記請求項１記載の本発明では、第１の空気調整部および第２空気調整部は夫々ケーシングに収容された構造とし、除湿材の吸湿モードと再生モードの切り替えは前記回転軸を中心として第１空気調整部と第２空気調整部とを１８０度回転し入れ替えることにより行うようにしたため、複雑な流路構成や流路切り替えに伴うダンパー制御等の設備が無くなり、設備コストやランニングコストを低減することが可能となる。さらに、デシカント換気装置のモード切り換えがダクト内の流れ方向を変えることなく行われるため、室内に設置された給排気口からの空気の入出方向が変わることがなく、換気効率および空調効率の低下が抑制されるようになる。
【００１８】
本発明では、各空気調整部で流通空気の湿度調整の他に、温度調整（顕熱調整）が行えるようにしてある。また、前記水分吸脱部及び蓄熱部はそれぞれカセット方式により前記ケーシングに着脱自在とされるとともに、水分吸脱部と蓄熱部との順序を入れ替え可能としてある。
【００１９】
請求項２に係る本発明として、前記第１空気調整部のケーシング及び第２空気調整部のケーシングが夫々断面略半円形状のケーシングとされるとともに、これらケーシングが連設され全体形状が円筒状に構成され、前記給気流路および排気流路が夫々前記第１空気調整部のケーシング及び第２空気調整部のケーシングに整合した断面形状とされる請求項１記載のデシカント換気装置が提供される。
【００２０】
上記請求項２記載の本発明は、第１空気調整部と第２空気調整部とが円筒状に一体化されたケーシング内に収められるため、装置を小型化することが可能となるとともに、入れ替えが円滑に行え、さらに空気漏洩も防止できるようになる。また、設備コストやランニングコストがさらに低減できるようになる。
【００２１】
請求項３に係る本発明として、前記給気流路と排気流路とにそれぞれ送風機が配設されるとともに、前記送風機は、前記第１空気調整部と第２空気調整部との入れ替え開始時に停止させ、前記第１空気調整部と第２空気調整部との入れ替え完了時に再稼働させるようにしてある請求項１〜２いずれかに記載のデシカント換気装置が提供される。
【００２２】
上記請求項３記載の本発明は、デシカント換気装置の吸湿・再生モードの切り替え時に各流路に配設された送風機を停止することにより、流通空気の漏洩が防止され、流路の切り替えに伴う換気効率および空調効率の低下を抑制することが可能となる。
【発明の効果】
【００２３】
以上説明したとおり本発明によれば、装置をコンパクト化ならびに簡易化し、吸湿・再生モードの切り替え構造を単純化することにより、設備コストやランニングコストが低減できるとともに、吸湿・再生モードの切り替えに伴う換気効率および空調効率の低下が抑制されるようになる。
【発明を実施するための最良の形態】
【００２４】
以下、本発明の実施の形態について図面を参照しながら詳述する。
〔第１形態例〕
図１は、本発明の第１形態例に係るデシカント換気装置１の構成例を示した図である。
【００２５】
本発明に係るデシカント換気装置１は、図１に示されるように、外気を室内へ供給する給気流路Ｓと、室内空気を室外へ排出する排気流路Ｅとが隣接して平行配置された部位に設けられ、前記給気流路Ｓ及び排気流路Ｅの一方側（給気流路Ｓ側）に、流路を形成するためのケーシング２Ａの内部に除湿材３Ａを内蔵する水分吸脱部４Ａと蓄熱体５Ａを内蔵する蓄熱部６Ａとから構成された第１空気調整部７Ａが、前記給気流路Ｓ及び排気流路Ｅの一方側（排気流路Ｅ側）に、流路を形成するためのケーシング２Ｂの内部に除湿材３Ｂを内蔵する水分吸脱部４Ｂと蓄熱体５Ｂを内蔵する蓄熱部６Ｂとから構成された第２空気調整部７Ｂが、それぞれ設けられ、前記第１空気調整部７Ａと第２空気調整部７Ｂとが、直接的または連結部材１５を介して一体的とされ、前記第１空気調整部７Ａ及び第２空気調整部７Ｂは、これらの中心部に流路方向に沿って設けられた回転軸８によって回転自在に支持されている。そして、所定時間毎に、モータ９によって前記回転軸８を１８０度づつ正方向又は逆方向に回転させることにより、前記第１空気調整部７Ａと第２空気調整部７Ｂとが入れ替わる流路構成となっている。すなわち、前記給気流路Ｓにおいて、除湿材３Ａが空気中の水分を吸着する吸湿モード及び蓄熱体５Ａによる冷却モードで運転している間、前記排気流路Ｅにおいては、除湿材３Ｂが空気中に水分を放出する再生モード及び蓄熱体５Ｂによる加熱モードで運転が行われ、所定の時間の後、前記第１空気調整部７Ａと第２空気調整部７Ｂとを入れ替える運転パターンを繰り返すようになっている。
【００２６】
前記デシカント換気装置１の水分吸脱部４Ａ、４Ｂ及び蓄熱部６Ａ、６Ｂはそれぞれカセット方式により前記ケーシング２Ａ、２Ｂに着脱自在とされるとともに、水分吸脱部４Ａ（４Ｂ）と蓄熱部６Ａ（６Ｂ）との順序を入れ替え可能とするのが望ましい。このように構成することによって、デシカント換気装置１のメンテナンスも容易となる。また、前記水分吸脱部４Ａ（４Ｂ）と蓄熱部６Ａ（６Ｂ）との順序を入れ替え可能とすることにより、後述するように、夏季運転及び冬季運転に対応可能となる。
【００２７】
前記デシカント換気装置１のケーシング２Ａ、２Ｂの室外側および室内側には、給気流路Ｓおよび排気流路Ｅを形成するダクト２１Ａ、２２Ａ、２１Ｂ、２２Ｂがそれぞれ接続され、ダクト２１Ａ、ケーシング２Ａ又は２Ｂ、ダクト２２Ａにより給気流路Ｓが構成され、ダクト２１Ｂ、ケーシング２Ｂ又は２Ａ、ダクト２２Ｂにより排気流路Ｅが構成される。前記ケーシング２Ａ、２Ｂと前記ダクト２１Ａ、２２Ａ、２１Ｂ、２２Ｂとの接続面には、流通空気の漏洩を防止するため、パッキン１０Ａ、１１Ａ、１０Ｂ、１１Ｂがそれぞれ配設されている。このパッキン１０Ａ、１１Ａ、１０Ｂ、１１Ｂは、図３に示されるように、各ダクト２１Ａ、２２Ａ、２１Ｂ、２２Ｂの端部に設けられたフランジ（図示せず）に設置され、ケーシング２Ａ、２Ｂの端面と接触して空気漏洩防止が図られている。このパッキン１０Ａ、１１Ａ、１０Ｂ、１１Ｂは、一般に使用される材質のものを用いることが可能であるが、摺動性等を考慮して、ウレタンやフッ素樹脂からなるものを好適に使用することが好ましい。
【００２８】
各流路には、図１に示されるように、給気、排気のための送風機１２、１３がそれぞれ配設されている。モードの切り替えを行う際には、各流路に配設された送風ファン１２、１３は、前記第１空気調整部７Ａと第２空気調整部７Ｂとの入れ替え開始時に停止させ、前記第１空気調整部７Ａと第２空気調整部７Ｂとの入れ替え完了時に再稼働させるようにすることが望ましい。
【００２９】
また、モードの切り替えを行う際、各ケーシング２Ａ，２Ｂが各流路のダクト２１Ａ〜２２Ｂと適正に接続される位置にあるかどうかを検出する、例えば近接スイッチ、リミットスイッチ等の検出器（図示せず）と、その検出した結果により前記回転軸８の回転角を制御する制御手段とを備えるようにすることが好ましい。また、前記第１空気調整部７Ａ、第２空気調整部７Ｂとこれに接続する空気ダクト２１Ａ〜２２Ｂの少なくとも１箇所以上において、図示例では、空気調整部７Ｂと室外側の排気ダクト２１Ｂとを固定するための固定手段１４（ロック装置）を備えるようにすることが望ましい。
【００３０】
前記除湿材３Ａ、３Ｂには、一般的に知られているように、シリカゲルやゼオライトなどを粒状形状に形成したものを使用することができ、この除湿材３Ａ、３Ｂはそれぞれケーシング２Ａ、２Ｂ内に通気可能に充填して使用される。
【００３１】
前記蓄熱体５Ａ、５Ｂには、一般的に知られているように、岩石、コンクリート、土壌、煉瓦等の多孔質物質や相変換物質 (PCM：Phase Change Material)などの蓄熱性能に優れた蓄熱体を内蔵しており、気体が通過する際に蓄熱体の放熱および蓄熱の作用により、通過する気体の温度調整を行うことができる。
【００３２】
前記水分吸脱部４Ａ、４Ｂおよび前記蓄熱部６Ａ、６Ｂは、その入口および出口において、それぞれ通気性のメッシュが配置され、内蔵する除湿材３Ａ、３Ｂまたは蓄熱体５Ａ、５Ｂが外部へ流出しないようになっている。
【００３３】
次に、デシカント換気装置１の運転状態について、夏季運転（高温多湿）、冬季運転（低温低湿）の気候条件に分けて詳述する。
【００３４】
〔夏季運転〕
夏季の場合の流路構成は、図４、５に示されるように、給気流路Ｓ側は上流側（室外側）から水分吸脱部４Ａ、蓄熱部６Ａの順で配置され、排気流路Ｅ側が上流側（室内側）から蓄熱部６Ｂ、水分吸脱部４Ｂの順で配置される。そして、外気がデシカント換気装置１によって除湿、冷却された後に、室内へ供給されるとともに、除湿材３Ｂ、蓄熱体５Ｂが室内空気の還気によって再生されるようになっている。
【００３５】
以下、具体的に詳述すると、給気流路Ｓにおいては、高温多湿の外気が、給気ファン１２によって給気流路Ｓを流通して、デシカント換気装置１の空気調整部７Ａに導入される。この空気調整部７Ａでは、まず水分吸脱部４Ａに導かれ、内蔵する除湿材３Ａと接触しながら流通するにしたがい、除湿材３Ａに湿度分が吸着され、流通空気は除湿される（図５中点Ｙ）。次に流通空気は、蓄熱部６Ａに導かれ、内蔵する蓄熱体５Ａと接触しながら流通するにしたがい、蓄熱体５Ａに吸熱され、流通空気は冷却される（図５中点Ｚ）。このように、空気調整部７Ａにて除湿および冷却された流通空気は、その後室内に供給される。
【００３６】
一方、排気流路Ｅにおいては、外気に比して低温低湿の室内空気が、排気ファン１３によって排気流路Ｅを流通して、デシカント換気装置１の空気調整部７Ｂに導入される。この空気調整部７Ｂでは、まず蓄熱部６Ｂに導かれ、内蔵する蓄熱体５Ｂと接触しながら流通するにしたがい、蓄熱体５Ｂから吸熱し、流通空気は加熱される。次に流通空気は、水分吸脱部４Ｂに導かれ、内蔵する除湿材３Ｂと接触しながら流通するにしたがい、除湿材３Ｂから湿度分が脱着され、流通空気は加湿される。このように、空気調整部７Ｂにて加熱および加湿された流通空気は、その後室外に排出される。
【００３７】
このような給気および排気を所定時間継続すると、給気流路Ｓに配設された除湿材３Ａの水分吸着および蓄熱体５Ａの蓄熱の作用が飽和状態となる。そこで、給気流路Ｓの第１空気調整部７Ａと、排気流路Ｅの第２空気調整部７Ｂとを入れ替えることにより、これまで給気流路Ｓに配設された除湿材３Ａおよび蓄熱体５Ａの再生が行えるようになる。この第１空気調整部７Ａと排気流路Ｅの第２空気調整部７Ｂとの入れ換えは、前述した通り、回転軸８の回転制御により行われる。この入れ替えを所定時間ごと（例えば30分程度）に、第１空気調整部７Ａと第２空気調整部７Ｂとを入れ替えすることによって、外気の温度湿度が調整された空気を室内に供給することができ、室内空調を損なわない快適な換気が可能となる。
【００３８】
〔冬季運転〕
冬季の場合の流路構成は、図６、７に示されるように、給気流路Ｓ側は上流側（室外側）から蓄熱部６Ａ、水分吸脱部４Ａの順で配置され、排気流路Ｅ側が上流側（室内側）から水分吸脱部４Ｂ、蓄熱部６Ｂの順で配置され、給気路Ｓにおいて蓄熱部６Ａで加熱した空気が、水分吸脱部４Ａに送られるようになるため、除湿材３Ａからの水分脱着が効率よく行われるようになる。そして、外気がデシカント換気装置１によって加湿、加熱された後に、室内へ供給されるとともに、除湿材３Ｂ、蓄熱体５Ｂが室内空気の還気によって再生されるようになっている。
【００３９】
以下、具体的に詳述すると、給気流路Ｓにおいては、低温低湿の外気が、給気ファン１２によって給気流路Ｓを流通して、デシカント換気装置１の空気調整部７Ａに導入される。この空気調整部７Ａでは、まず蓄熱部６Ａに導かれ、内蔵する蓄熱体５Ａと接触しながら流通するにしたがい、蓄熱体５Ａから吸熱し、流通空気は加熱される（図７中点Ｙ）。次に流通空気は、水分吸脱部４Ａに導かれ、内蔵する除湿材３Ａと接触しながら流通するにしたがい、除湿材３Ａから湿度分が脱着され、流通空気は加湿される（図７中点Ｚ）。このように、空気調整部７Ａにて加熱および加湿された流通空気は、その後室内に供給される。
【００４０】
一方、排気流路Ｅにおいては、外気に比して高温多湿の室内空気が、排気ファン１３によって排気流路Ｅを流通して、デシカント換気装置１の空気調整部７Ｂに導入される。この空気調整部７Ｂでは、まず水分吸脱部４Ｂに導かれ、内蔵する除湿材３Ｂと接触しながら流通するにしたがい、除湿材３Ｂに湿度分が吸着され、流通空気は除湿される。次に流通空気は、蓄熱部６Ｂに導かれ、内蔵する蓄熱体５Ｂと接触しながら流通するにしたがい、蓄熱体５Ｂに吸熱され、流通空気は冷却される。このように、空気調整部７Ｂにて除湿および冷却された流通空気は、その後室外に排出される。
【００４１】
冬季の場合も、前記夏季の場合と同様に、所定時間ごと（例えば30分程度）に第１空気調整部７Ａと第２空気調整部７Ｂとの入れ替えを繰り返すことによって、外気の温度湿度が調整された空気を室内に供給することができ、室内空調を損なわない快適な換気が可能となる。
【００４２】
〔第２形態例〕
上記第１形態例では、各流路Ｓ、Ｅに配設されるケーシング２Ａ、２Ｂが離間をあけて夫々独立的に形成されるようにしたが、第２形態例に係るデシカント換気装置１では、図８に示されるように、前記第１空気調整部７Ａのケーシング２Ａ及び第２空気調整部７Ｂのケーシング２Ｂが夫々断面略半円形状のケーシング２Ａ、２Ｂとされるとともに、これらケーシング２Ａ、２Ｂが連設され、全体形状が円筒状に構成され、前記給気流路Ｓおよび排気流路Ｅが夫々、前記第１空気調整部７Ａのケーシング２Ａ及び第２空気調整部７Ｂのケーシング２Ｂに整合した断面形状とされる。そして、中心に設けられた回転軸８により１８０度づつ正方向又は逆方向に回転制御される。
【００４３】
これにより、デシカント換気装置１の構造がさらに簡略化でき、設備コストの低減、流路切り替えに伴うランニングコストの低減、取付け作業性、メンテナンス性の向上など、多大な効果が発揮される。
【００４４】
〔他の形態例〕
(1)上記形態例では、第１空気調整部７Ａ及び第２空気調整部７Ｂのそれぞれにおいて、水分吸脱部４Ａ（４Ｂ）と蓄熱部６Ａ（６Ｂ）とを設けるようにしたが、水分吸脱部４Ａ、４Ｂのみを備えるようにしてもよい。この場合、流通空気の湿度調整のみが行われ、温度調整は室内に備えられる空調設備により行われるようにする。これにより、デシカント換気装置１の設備コストをさらに低減することが可能となる。
【図面の簡単な説明】
【００４５】
【図１】本発明に係るデシカント換気装置１の構成概要図である。
【図２】そのII−II断面図である。
【図３】パッキンを示した正面図である。
【図４】デシカント換気装置１における夏季の運転状態を示した流路構成図である。
【図５】その給気流路Ｓの空気線図を示した模式図である。
【図６】デシカント換気装置１における冬季の運転状態を示した流路構成図である。
【図７】その給気流路Ｓの空気線図を示した模式図である。
【図８】本発明の第２形態例に係るデシカント換気装置１の構成概要斜視図である。
【符号の説明】
【００４６】
１…デシカント換気装置、２Ａ・２Ｂ…ケーシング、３Ａ・３Ｂ…除湿材、４Ａ・４Ｂ…水分吸脱部、５Ａ・５Ｂ…蓄熱体、６Ａ・６Ｂ…蓄熱部、７Ａ、７Ｂ…空気調整部、８…回転軸、９…モータ、１０Ａ・１０Ｂ・１１Ａ・１１Ｂ…パッキン、１２・１３…送風ファン
【図１】
0004729409.tif 000002
【図２】
0004729409.tif 000003
【図３】
0004729409.tif 000004
【図４】
0004729409.tif 000005
【図５】
0004729409.tif 000006
【図６】
0004729409.tif 000007
【図７】
0004729409.tif 000008
【図８】
0004729409.tif 000009